(57)【特許請求の範囲】
【請求項１】
略直方体状のケース本体の上面を開放して開口部とし、その開口部を蓋板で閉塞するようにした物品収納ケースにおいて、ケース本体の一側は上縁を開放し、その一側に支柱を挟んで複数の扉を開閉自在に設けて側板として機能するように構成すると共に、扉間の支柱とこれと対向する側板のそれぞれの上端に設けた嵌合部に、両端に前記嵌合部に嵌合する嵌合爪を有する支持板を嵌合架設したことを特徴とする物品収納ケース。
【請求項２】
下端辺のヒンジ部を介して開閉自在に設けた扉の左右縁端に係止用突起を設けると共に、ケース本体の側板または支柱の該係止用突起と対応する位置にそれぞれ係止用突起を設け、これらが互いに係合して扉を閉じたときに側板として機能するように構成した請求項１記載の物品収納ケース。
【請求項３】
支柱外側にリブを設けると共に、底板において、前記支柱とこれと対向する側板との間に仕切板兼用のリブを形成し、また、上記支持板の下面に仕切部を垂下して設けた請求項１または請求項２に記載の物品収納ケース。
【請求項４】
ケース本体の底板に底上げ部を設けると共に側板に沿って凹溝部を形成するようにした請求項１から請求項３の何れか１項に記載の物品収納ケース。
【発明の詳細な説明】
【０００１】
【発明の属する技術分野】
この発明は、コンパクトディスク（ＣＤ）やビデオテープ、文庫本、コミック本などの小物や衣類、雑貨等を整理収納する物品収納ケースに関するもので、ケース本体の側面に一乃至複数の開閉可能な扉を設けて物品の出し入れを容易とすると共に、このケースを複数段に積み重ねたときに各ケース本体や蓋板が撓まないようにしたものである。
【０００２】
【従来の技術】
従来の物品収納ケースは、一般に上面を開放した平底の略直方体状の箱体からなるケース本体と、このケース本体の上面開口部を閉塞する平板状の蓋体とで構成されている。そして、ケース本体内に所望の小物を整理収納し、蓋体を閉じた後、複数段に積み重ねて保管することが多い。
【０００３】
従って、必要な小物等を取り出す場合、一度積み重ねた複数段の収納ケースをそれぞれ下に降ろし、その中から必要な小物等の入っている収納ケースを選んでその蓋体を開け、所望の小物を取り出す必要があった。また、積み重ねない場合でも、ベッドの下などの狭いところや棚の上などに置いた場合にも、一旦広いところに取り出してから蓋を開けなければならなかった。これらの作業は特に女性や子どもにとっては大変な作業であり、改善が望まれている。
【０００４】
このような問題に対処するため、例えば実開平６−６５２２４号公報や、特開平９−２９５６３８号公報などにおいて、収納ケースの側面に物品を出し入れする開口部を設け、そこに開閉自在な扉を設けた収納ケースが提案されている。
【０００５】
例えば、前者は、収納ケース本体の短辺側側壁に取出口を設け、ここに開閉自在な扉体を設けたものである。また後者も同様に、コンテナの周面に開口部を形成し、そこに開閉蓋を設けた構成である。
【０００６】
【発明が解決しようとする課題】
しかしながら、これら従来の収納ケースは、収納場所や積み重ねた場合の強度を考えると、略直方体状の収納ケースの短辺側にしか扉を設けることができないから、扉と反対側の奥の方に収納した小物類の確認や取り出しが極めて困難であった。
【０００７】
また、従来の物品収納ケースのうち、特に一体成型によって得られる合成樹脂製の収納ケースは、樹脂成型上の制約から各側壁面に上方に向かって外側に開く小さな傾斜（抜き勾配）を設ける必要があるので、ケースを複数段に積み重ねて上下方向に大きな力が加わると、各ケース本体の側板上縁部が外側に膨出して側板や蓋板が撓むという問題が残されていた。
【０００８】
さらに、ビデオテープやＣＤなどの規格化された矩形状物を収納した場合を考えると、従来の収納ケースは底板が平坦であったから、ケースいっぱいに収納した場合に指先が入る余地がなく、ビデオテープ等を取り出すのが困難であるという問題もあった。
【０００９】
このような観点から本発明は、この種物品収納ケースにおいて、複数段に積み重ねたときにも収納した物品の確認や取り出しを容易にすると共に、ケース本体や蓋体が撓まないようにした物品収納ケースを提供するものである。
【００１０】
【課題を解決するための手段】
上述した各課題を解決するため本発明は、略直方体状のケース本体の上面を開放して開口部とし、その開口部を蓋板で閉塞するようにした物品収納ケースにおいて、ケース本体の一側は上縁を開放し、その一側に支柱を挟んで複数の扉を開閉自在に設けて側板として機能するように構成すると共に、扉間の支柱とこれと対向する側板のそれぞれの上端に設けた嵌合部に、両端に前記嵌合部に嵌合する嵌合爪を有する支持板を嵌合架設するという手段を採用した。
【００１１】
かかる構成により、従来通り蓋板を開けて物品の出し入れを行うほか、側板の扉を開けて物品が出し入れ可能となる。このとき、収納ケースを複数段に積み重ねていても任意の段の収納ケースの扉が開閉可能となる。また、少なくとも１つの扉が露出していれば物品の出し入れが可能であり、ケース全体を引き出したり、積み下ろしたりする手間がない。
【００１２】
さらに、支柱と側板の間に支持板を架設しているので、成型上いわゆる抜き勾配を設けた側板に対して上下方向に大きな荷重がかかった場合にも支持板によって側板が外側に膨出することを規制する。
【００１３】
また、上記物品収納ケースにおいて、下端辺のヒンジ部を介して開閉自在に設けた扉の左右縁端に係止用突起を設けると共に、ケース本体の側板または支柱の該係止用突起と対応する位置にそれぞれ係止用突起を設け、これらが互いに係合して扉を閉じたときに側板として機能するように構成するという手段を採用した。
【００１４】
蓋板を取り外すと共に扉を開けた状態では、収納ケースの上面および側面が開放され物品の出し入れが極めて容易となる。併せて、蓋板を取り外した状態でも、各係止用突起を介して扉のみを閉じて固定するようにして扉を側板として機能させ、上面のみ開放の収納ケースとしても利用できるようにして、収納作業の利便性を図るものである。
【００１５】
また、支柱外側にリブを設けると共に、底板において、前記支柱とこれと対向する側板との間に仕切板兼用のリブを形成し、また、上記支持板の下面に仕切部を垂下して設けるという手段を採用した。
【００１６】
これらのリブ等によって側面視ロの字状の枠が形成され、側板の膨出や蓋板の撓みなどの該部の変形を確実に防止する。従って複数段に積み重ねることが可能である。
【００１７】
さらに、上記物品収納ケースにおいて、ケース本体の底板に底上げ部を設けると共に側板に沿って凹溝部を形成するという手段も採用した。
【００１８】
この凹溝部によって、例えばＣＤケース等を収納した場合に、ケースの前側上端を下手前方向に押すとＣＤケース下端が凹溝部に陥入してＣＤケースが傾き、その側面が一部露出して指先でつまみ出すことが可能となり、物品を密に収納している場合にも出し入れが極めて容易となる。
【００１９】
【発明の実施の形態】
以下、本発明に係る物品収納ケースの好ましい実施の形態を図面に従って詳細に説明する。なお、図ではＣＤケースを収納する場合を例示しているが、これに限定するものではなく、収納する物品に応じて、ケースの幅、奥行き、高さは任意に設定できるものであり、収納物それぞれの規格に応じて所望のサイズに製作すればよい。
【００２０】
図１は本発明に係る物品収納ケースの一例を示す全体斜視図、図２はその構成部品ごとの分解斜視図である。また図３は扉を開いた状態の側面断面図である。
【００２１】
図１〜３において、１は略直方体状で上方を開口したケース本体、２はこのケース本体１の長手方向の側板８のそれぞれの中央部の間に架設した支持板、３はケース本体１を上から閉塞する蓋板である。このケース本体１において、４、４はケース本体１の長手側板の一方に設けた扉で、中央の支柱５を挟んで左右に設けている。支柱には縦方向にリブ５ａを設け上下方向の力による撓みの発生を防止している。
【００２２】
左右の扉４はケース本体１に下端辺のヒンジ部６を介して開閉自在に設けられ、閉塞時はケース本体１の側板として機能することになる。即ち、各扉４の上端には係止用突起４ａが設けられ、蓋板３の下面の対応する位置に設けた係止用突起３ａと互いに係合して扉４が不用意に開くことを防止している。また、それぞれの扉４の左右縁端にも係止用突起４ｂが設けられ、ケース本体１の側板の対応する位置に設けられた係止用突起１ａまたは支柱５の対応する位置に設けられた係止用突起５ｂと互いに係合して扉４が開くのを防止している。これは、蓋板３を外して上端の係止用突起４ａの係合が解かれた場合にも、各扉４が開かないようにして側板として機能させるためのものである。
【００２３】
また、ケース本体１の底板７は、長手方向中央部に幅広の底上げ部７ａを設け、前後の側板８に沿って凹溝部７ｂが形成されるようにしている。また、底板７の上記支柱５とこれと対向する側板８との間には仕切板兼用のリブ９を形成している。
【００２４】
次に、支持板２は長さ方向に複数のリブ２ｂを有する支持棒部２ａとその下面に垂下して設けた平板状の仕切部２ｃからなり、支持棒部の両端に嵌合爪２ｄを設けている。そしてこの嵌合爪２ｄを介して前記支柱５およびその対向側板８の上端に設けた係合部１０、１０にそれぞれ嵌入架設して、支柱５、底板のリブ９などと共に側面視ロの字状の枠を形成して該部で撓みが生じないようにしている。
【００２５】
さらに、ケース本体１の左右両端には持ち手１１を突設すると共に、該持ち手と蓋体３の両端に設けた係止具３ｂが嵌合するようにして、蓋板３が確実に固定できるようにしている。
【００２６】
また、ケース本体１の下面四隅にはわずかな突起１ｂを設けると共に、蓋板３の上面の対応する位置には凹部３ｃを設けて、ケースを積み重ねたときに位置ずれを起こさないようにしている。
【００２７】
なお、上例では扉はケース本体の一側のみに設けているが、両側または短辺側側板に設けることも可能である。さらに、長辺側が比較的短い場合には扉を一つに、また長辺側が短辺側に比べて長い場合には、長辺側を３分割またはそれ以上に分割して複数の扉を設けるようにしてもよい。この場合は各支柱ごとに支持板を架設するようにする。
【００２８】
上記構成の物品収納ケースは、例えばジュエルケースに入ったＣＤを整理収納するのであるが、通常通り上面の蓋板３を開けてＣＤケースを出し入れできるほか、蓋板３を閉じたまま側板の扉４を開けて横からＣＤを出し入れすることも可能である。特に複数段に積み重ねてある場合にも、所望の段の収納ケースの扉を開閉でき、従来のように広いところに下ろしてから出し入れする手間が省略できる。また、すべての扉を開ければ収納物がほぼ一覧できるから、従来のように奥の方のＣＤが取り出せないといった不都合もない。
【００２９】
また、わずかな隙間を利用して長手方向に設置した場合にも、片方の扉が見える分だけ引き出せば、扉を開いてＣＤを取り出すことができるから、ケースすべてを引き出す必要がない。
【００３０】
さらに、例えば収納ケースいっぱいにＣＤケースを収納して指を入れる隙間がないような場合、図３に示すように底板７に凹溝部７ｂが形成されているので、ＣＤケース（Ｐ）の上端を指先で下手前方向に引くとＣＤケース下端がこの凹溝部７ｂに陥入してＣＤケースを斜めに傾けることが可能であるから（図３の一点鎖線参照）、ＣＤケース（Ｐ）の側面が一部露出して該部をつまんでＣＤを１枚だけ取り出すことが可能である。
【００３１】
一方、収納ケースを複数段に積み重ねて、上下方向に大きな荷重が加わった場合であっても、支柱５に設けたリブ５ａ、および、支柱５、底板のリブ９、側板８と支柱５の間に架設した支持板２等によって形成されたロの字状の枠構造によって該部が強固に補強されているから、側板に抜き勾配があっても外側に撓むようなことは全くなく、安定した積み重ねが実現できる。
【００３２】
【発明の効果】
以上述べたように、本発明にかかる物品収納ケースは、ケース側板に蓋板を閉じたままで開閉可能な扉を設けたので、従来通り蓋板を開けて物品の出し入れが行えるほか、複数段に積み重ねていても任意の段の収納ケースの扉を開けて物品が出し入れ可能となった。そのため、ケース全体を引き出したり、積み下ろしたりする手間がなくなった。
【００３３】
さらに、支柱と側板の間に支持板を架設しているので、成型上いわゆる抜き勾配を設けた側板に対して上下方向に大きな荷重がかかった場合にも支持板によって側板が外側に膨出することが規制され、複数段に積み重ねても側板や蓋板の撓みが防止できた。
【００３４】
また、扉の左右縁端やケース本体の側板または支柱にそれぞれ係止用突起を設け、これらを互いに係合させるようにしているので、蓋板を取り外すと共に扉を開けた状態では、収納ケースの上面および側面が開放され物品の出し入れが極めて容易であると共に、扉を閉めてこれを側板として機能させることも可能で、上面のみ開放の収納ケースとしても構成できるようにして、収納作業の利便性を図ることができた。
【００３５】
また、底板の支柱とこれと対向する側板との間に仕切板兼用リブを形成し、支持板下面に仕切部を垂下して設けているので、これらのリブ等によって側面視ロの字状の枠が形成され、側板の膨出や蓋板の撓みなどの該部の変形を確実に防止することができ、収納ケースを複数段に積み重ねた場合にも安定して積み重ねることが可能で、物品の出し入れも容易となった。
【００３６】
さらに、ケース本体の底板に底上げ部を設けると共に側板に沿って凹溝部を形成したので、この凹溝部によって、例えばＣＤケース等を収納した場合に、ケースの前側上端を下手前方向に押すとＣＤケース下端が凹溝部に陥入してＣＤケースが傾き、その側面が一部露出して指先でつまみ出すことが可能となり、物品を密に収納している場合にも出し入れが極めて容易となった。
【図面の簡単な説明】
【図１】本発明に係る物品収納ケースの一例を示す全体斜視図である。
【図２】扉を開いた状態の分解斜視図である。
【図３】物品の出し入れの様子を示す側面断面図である。
【符号の説明】
１    ケース本体
１ａ  係止用突起
１ｂ  突起
２    支持板
２ａ  支持棒部
２ｃ  仕切部
２ｄ  嵌合爪
３    蓋板
３ａ  係止用突起
３ｃ  凹部
４    扉
４ａ  係止用突起
５    支柱
５ａ  リブ
６    ヒンジ部
７    底板
７ａ  底上げ部
７ｂ  凹溝部
８    側板
９    リブ
１０    係合部
【図１】
0004597304.tif 000002
【図２】
0004597304.tif 000003
【図３】
0004597304.tif 000004